(57)【要約】      （修正有）【課題】年月を経ても錆や浸水，地圧等のために操作不能となることなく、何時でも分水栓を閉止することができるようにし、地域的な断水を伴うことなく支管等の漏水事故の復旧を可能にする。【解決手段】上水道の本管１に分水栓２が固設され、該分水栓より支管３３が敷地内に延設され、該支管の先端に止水栓３５，量水器３６等が設けられた給水系において、該分水栓より突出する栓棒１１に歯車１３を固着し、両端部にピストン２０，２１が設けられ中間部に前記歯車に噛合するラック歯１７が形成されたスピンドル１６をシリンダ２２，２３内に進退動自在に設けるとともに、敷地内に設けられた操作ボックス３４に四方切換弁３８を設け、一対の耐圧性チューブ４４，４５を前記シリンダから該操作ボックスに延設して該各チューブの先端を該四方切換弁に連結し、前記ピストンに水圧を掛けることにより前記スピンドルを進退動させ前記分水栓を開閉し得るようにした。【選択図】  図１
2004218334.tif 000002
【特許請求の範囲】
【請求項１】
道路地下に埋設される上水道の本管に分水栓が固設され、該分水栓より支管が敷地内に延設され、該支管の先端に止水栓，量水器等が設けられた給水系において、該分水栓より突出する栓棒に歯車を固着し、両端部にピストンが設けられ中間部に前記歯車に噛合するラック歯が形成されたスピンドルをシリンダ内に進退動自在に設けるとともに、敷地内に設けられた操作ボックスに四方切換弁を設け、一対の耐圧性チューブを前記シリンダから該操作ボックスに延設して該各チューブの先端を該四方切換弁に連結し、該各チューブが該四方切換弁の切換操作により手押式ポンプに連結または大気中に開放されるようにし、該手押式ポンプにより該各チューブを介して前記ピストンに水圧を掛けることにより前記スピンドルを進退動させ前記分水栓を開閉し得るようにしたことを特徴とする分水栓の遠隔操作装置。
【発明の詳細な説明】
【０００１】
【発明の属する技術分野】
本発明は道路地下に埋設された上水道の本管に固設される分水栓に関し、さらに詳しくは該分水栓を遠隔操作により開閉し得るようにする分水栓の遠隔操作装置に関するものである。
【０００２】
【従来の技術】
【特許文献１】
特開平０７−１３９６６０号公報
【０００３】
上水道の本管に固設された分水栓をプッシュプルワイヤを介して敷地内の操作ボックスから遠隔操作することにより該分水栓を開閉し得るようにした装置は、本出願人の特許出願に係る上記特許文献１に主として新設住宅における盗水を防止することを目的とするものとして開示されている。
【０００４】
【発明が解決しようとする課題】
ところで、上記遠隔操作装置は、新設時は問題ないものの長年を経ると地下でプッシュプルワイヤ等が錆や浸水，地圧等のために操作不能となるおそれがあった。このため、支管から漏水が発見された場合に分水栓を上記遠隔操作装置により閉止しようとしても操作できないおそれがあった。
【０００５】
【課題を解決するための手段】
本発明に係る分水栓の遠隔操作装置は、上記課題を解決しようとするもので、道路地下に埋設される上水道の本管に分水栓が固設され、該分水栓より支管が敷地内に延設され、該支管の先端に止水栓，量水器等が設けられた給水系において、該分水栓より突出する栓棒に歯車を固着し、両端部にピストンが設けられ中間部に前記歯車に噛合するラック歯が形成されたスピンドルをシリンダ内に進退動自在に設けるとともに、敷地内に設けられた操作ボックスに四方切換弁を設け、一対の耐圧性チューブを前記シリンダから該操作ボックスに延設して該各チューブの先端を該四方切換弁に連結し、該各チューブが該四方切換弁の切換操作により手押式ポンプに連結または大気中に開放されるようにし、該手押式ポンプにより該各チューブを介して前記ピストンに水圧を掛けることにより前記スピンドルを進退動させ前記分水栓を開閉し得るようにしたことを特徴とする。
【０００６】
【発明の実施の形態】
次に図面に従い本発明の実施の形態を説明する。図１に地中で配設された給水系の全体を示し、図中、１は道路地下に埋設されている上水道の本管、２は該本管１上にクランプ３，４をボルト５により締付けることで固設される分水栓である。該分水栓２は、図２に示したように、ボデー６に下端開口７が本管１の上面と相対するように設けられた垂直な通水口８と、該通水口８に直交する通水口９が形成され、該通水口８，９の交点に球形弁１０を配設してなる。１１は内端の係合部１２が該球形弁１０に係合するようボデー６内に回転自在に支持された栓棒、１３は該栓棒の他端部に固着された歯車、１４，１５は該歯車を包囲しているカバー体である。また、１６はカバー体１５内で栓棒１１と直交する方向に進退動自在なるように配置されたスピンドルで、該スピンドルの中間部に歯車１３と噛合するラック歯１７が形成されている。また、スピンドルの両端部には図３に示されるように外周にＯリング１８，１９を止着することでピストン２０，２１を形成するとともに、該ピストン２０，２１を気密に収容するシリンダ２２，２３を夫々袋ナット２４，２５によってカバー体１５の両端部に組み付けている。２６は栓棒１１の外端部に係合され先端が外部に突出する栓棒延長部材である。なお、球形弁１０には通水口９と常に連通する通路２７と、回転により通水口８に連通し得る通路２８とがＴ字状に形成されている。２９は下端開口７の本管１上面への圧着部分に設けられたゴム製シール部材である。
【０００７】
本管１に分水口３０を開口するに当たっては、通水口８の上端に設けられた封水キャップ３１を外して該通水口８中に穿孔ドリルを挿入し、分水口３０が開口できたところで該ドリルを通水口８より抜き、栓棒１１により球形弁１０を９０度回転させ止水する。そして封水キャップ３１を通水口８の上端開口に螺合嵌着すると共に、通水口９に管継手３２を螺着し支管３３を接続する。３４は敷地内に埋設され止水栓３５，量水器３６等を収容している操作ボックスで、前記支管３３は側溝３７の下方を通り該止水栓３５，量水器３６に延設される。
【０００８】
３８は操作ボックス３４内に設けた四方切換弁、３９はその回転操作軸である。該四方切換弁は図４に示したように弁箱４０内に回転操作軸３９と一体の弁体４１が回転自在に設けられ、該弁体４１の外周の一部を切り欠くことにより一対の連通路４２，４３が形成される。４４，４５は一端を前記シリンダ２２，２３にプラグ４６，４７を介して連結した一対の耐圧性チューブで、該各チューブを該操作ボックス３４に延設し該各チューブの先端をプラグ４８，４９を介して該四方切換弁３８の弁箱４０に形成された相対する流路５０，５１に連結している。また、５２は必要に応じて該四方切換弁３８の流路５３にプラグ５４，チューブ５５を介して連結される手押式ポンプ、５６は該四方切換弁３８の流路５７に設けられ先端が大気中に開放された排水プラグである。
【０００９】
このように構成した遠隔操作装置では、図４に示した弁体４１の回転状態にてチューブ５５とチューブ４４とが連通し、チューブ４５と排水プラグ５６とが連通した状態で、手押式ポンプ５２を操作し水を圧送すれば、シリンダ２２に水圧が掛かりピストン２０が押されることからスピンドル１６が移動し、ラック歯１７，歯車１３を介して栓棒１１，球形弁１０を回転させる。また、弁体４１を９０度回転させて手押式ポンプ５２を操作し水を圧送すれば、シリンダ２３に水圧が掛かりピストン２１が押されることからスピンドル１６が反対方向に移動し、ラック歯１７，歯車１３を介して栓棒１１，球形弁１０を反対向に回転させる。
このため、分水口３０を必要に応じて開閉することができる。なお、手押式ポンプ５２を操作したときに排水プラグ５６から反対側の水が排出されることから開閉動の確認ができる。
【００１０】
このように分水栓２を水圧により遠隔操作で開閉できることから、分水栓２より下流の支管３３等から漏水が発見された場合に、道路を掘り返す等の大がかりな工事をすることなく該分水栓を閉止でき簡単に漏水修復ができるようになる。
また、本管１の通水を止める必要もないので、地域の断水という状態を招くこともなく修復が可能となる。
【００１１】
【発明の効果】
このように本発明の遠隔操作装置は、分水栓の栓棒に歯車を固着し、両端部にピストンが設けられ中間部に該歯車に噛合するラック歯が形成されたスピンドルをシリンダ内に進退動自在に設けるとともに、一対の耐圧性チューブを前記シリンダから操作ボックスに延設し該各チューブの先端を四方切換弁に連結し、該各チューブが該四方切換弁の切換操作により手押式ポンプに連結または大気中に開放されるようにすることにより、手押式ポンプによる水圧で分水栓を開閉し得るようにしたので、従来のプッシュプルワイヤ等による遠隔操作装置と異なり、錆びたり、浸水したり、或いは地圧により操作不能となるおそれが少ない。また、水圧を利用したことにより長い距離を隔てていても確実に開閉作動させることができる。このため、新設時のみならず、長い年月を経ても必要に応じて何時でも分水栓を閉止することができ、地域的な断水を伴うことなく支管等の漏水事故の復旧を可能にする有益な効果がある。
【図面の簡単な説明】
【図１】本発明に係る分水栓の遠隔操作装置を示した給水系全体の正面図。
【図２】図１の分水栓の縦断面図。
【図３】図２のＡ−Ａ線断面図。
【図４】図１の四方切換弁の縦断面図。
【符号の説明】
１            本管
２            分水栓
１０          球形弁
１１          栓棒
１３          歯車
１６          スピンドル
１７          ラック歯
２０，２１    ピストン
２２，２３    シリンダ
３３          支管
３４          操作ボックス
３５          止水栓
３６          量水器
３８          四方切換弁
４４，４５    耐圧性チューブ
５２          手押式ポンプ
５６          排水プラグ
【図１】
2004218334.tif 000003
【図２】
2004218334.tif 000004
【図３】
2004218334.tif 000005
【図４】
2004218334.tif 000006